(57)【特許請求の範囲】
【請求項１】
フレームと、
前記フレームに昇降可能に保持され、折り処理され、排出された用紙を集積する集積トレイと、
前記集積トレイに用紙が排出される際に用紙を前記集積トレイ上に案内し、前記集積トレイに集積された用紙の排出搬送方向における後端部を押さえるように前記フレームに固定されている第１押さえ手段と、
前記集積トレイ上の用紙の排出搬送方向における先端部を押さえる第２押さえ手段と、を有し、
前記集積トレイは、下限位置に達すると用紙の満杯を報知するセンサが作動するように、前記集積トレイの上に集積された用紙の厚さが増すことにより、前記第１押さえ手段に押されて下降し、
前記第２押さえ手段は、用紙の排出搬送方向上流側端部が前記フレームに固定され、排出搬送方向下流側端部が自由端であることを特徴とする用紙集積装置。
【請求項２】
前記第１押さえ手段は、排出搬送される用紙に接触して従動回転するように前記フレームに固定された軸に回転自在に取り付けられた回転体を有することを特徴とする請求項１に記載の用紙集積装置。
【請求項３】
前記第１押さえ手段は排出搬送される用紙を下方に案内することを特徴とする請求項１又は請求項２に記載の用紙集積装置。
【請求項４】
前記第２押さえ手段は、弾性を有するシート状部材で構成されていることを特徴とする請求項１から３のいずれか１項に記載の用紙集積装置。
【請求項５】
前記集積トレイは、用紙の排出搬送方向下流側端部において軸により回転可能に前記フレームに支持され、上流側端部がばね力により上方に付勢されていることを特徴とする請求項１から４のいずれか１項に記載の用紙集積装置。
【請求項６】
前記集積トレイ上に用紙が堆積集積されていない状態において、前記第２押さえ手段の前記自由端は、前記集積トレイの下方に突出していることを特徴とする請求項１から５のいずれか１項に記載の用紙集積装置。
【請求項７】
前記第２押さえ手段は、用紙との摩擦が調整された用紙接触面を有する層及び前記第２押さえ手段の剛性を高める裏打ち層を有することを特徴とする請求項１から６のいずれか１項に記載の用紙集積装置。
【請求項８】
用紙を折り処理する折り処理部と、一対のローラからなる排紙ローラを有し、前記折り処理部により折り処理された用紙を排出する排紙部と、
前記排紙部から排出された用紙を集積する用紙集積装置と、を有する用紙処理装置において、
前記用紙集積装置は、
フレームと、
前記フレームに昇降可能に保持され、前記折り処理部により折り処理され、前記排紙部から排出された用紙を集積する集積トレイと、
前記集積トレイに用紙が排出される際に用紙を前記集積トレイ上に案内し、前記集積トレイに集積された用紙の排出搬送方向における後端部を押さえるように前記フレームに固定されている第１押さえ手段と、
前記集積トレイ上の用紙の排出搬送方向における先端部を押さえる第２押さえ手段と、を有し、
前記集積トレイは、下限位置に達すると用紙の満杯を報知するセンサが作動するように、前記集積トレイの上に集積された用紙の厚さが増すことにより、前記第１押さえ手段に押されて下降し、
前記第２押さえ手段は、用紙の排出搬送方向上流側端部が前記フレームに固定され、排出搬送方向下流側端部が自由端であることを特徴とする用紙処理装置。
【請求項９】
前記第１押さえ手段は、排出搬送される用紙に接触して従動回転するように前記フレームに固定された軸に回転自在に取り付けられた回転体を有することを特徴とする請求項８に記載の用紙処理装置。
【請求項１０】
前記第１押さえ手段は排出搬送される用紙を下方に案内することを特徴とする請求項８又は請求項９に記載の用紙処理装置。
【請求項１１】
前記第２押さえ手段は、弾性を有するシート状部材で構成されていることを特徴とする請求項８から１０のいずれか１項に記載の用紙処理装置。
【請求項１２】
前記集積トレイは、用紙の排出搬送方向下流側端部において軸により回転可能に前記フレームに支持され、上流側端部がばね力により上方に付勢されていることを特徴とする請求項８から１１のいずれか１項に記載の用紙処理装置。
【請求項１３】
前記集積トレイ上に用紙が堆積集積されていない状態において、前記第２押さえ手段の前記自由端は、前記集積トレイの下方に突出していることを特徴とする請求項８から１２のいずれか１項に記載の用紙処理装置。
【請求項１４】
前記第２押さえ手段は、用紙との摩擦が調整された用紙接触面を有する層及び前記第２押さえ手段の剛性を高める裏打ち層を有することを特徴とする請求項８から１３のいずれか１項に記載の用紙処理装置。
【請求項１５】
前記回転体の軸中心が、前記排紙ローラにより形成されるニップの延長線よりも上方であり、前記回転体の用紙押さえ面が前記延長線よりも下方に位置するように前記回転体が配置されたことを特徴とする請求項９に記載の用紙処理装置。
【発明の詳細な説明】
【技術分野】
【０００１】
本発明は、用紙に対して折り処理を行う用紙処理装置、特に、画像形成装置との組み合わせにより、画像が形成された用紙に対して折り処理を行う小型の用紙処理装置における用紙排出部の改良に関する。
【背景技術】
【０００２】
折り処理された用紙は、折り処理されない用紙、即ち、平板状の用紙に比較して形状が不規則になりやすく、排紙部において不規則に集積されやすい。
【０００３】
特に、三つ折り等の多重折り、例えば、観音折りやダブルパラレル折りと称される多重折りされた用紙は、平板の形状から大きく異なった形状となって集積部において、不規則に積み重なり、集積部から飛び出して外に散乱する場合もある。
【０００４】
折り処理され排出された用紙は、従来では主として、箱状のトレイに集積されるのみであったが、画像形成装置や用紙処理装置における排出部については、集積トレイ上に用紙を整然と集積するための改良が行われている。
【０００５】
特許文献１、２では、用紙の排出部近傍に用紙を下方に向けて押圧する用紙押圧部材を設けることが提案されている。
【０００６】
また特許文献２では、用紙押圧部材を引き抜いて、新たに排出された用紙上の上面に移動させる押さえ作動部材を設けている。
【０００７】
特許文献３では、折り処理された用紙の取り出しを容易にするために、用紙先端ストッパを傾倒可能に構成することが提案されている。
【０００８】
また特許文献３では、用紙先端押さえアームの他に用紙の後端を押さえるパドルを設けることが開示されている。
【特許文献１】特開２００２−２７４７２７号公報
【特許文献２】特開平７−３００２７０号公報
【特許文献３】特開２００２−２５５４３１号公報
【発明の開示】
【発明が解決しようとする課題】
【０００９】
特許文献１、２は折り処理された用紙を整合できる構成とはなっておらず、折り処理した用紙を整合状態で集積するにはきわめて不十分である。
【００１０】
特許文献３では、折り処理され排出された用紙の先端及び後端のを押さえる押さえ部材を設けて排出用紙を整合している。
【００１１】
しかしながら、特許文献３では、用紙後端を回転するパドルを用いて押さえており、パドルの運動により用紙が集積トレイ上で移動し変形するために、整合が十分に行われないという問題がある。
【００１２】
変形しやすい多重折りされた用紙では、回転するパドルにより用紙が特に変形しやく、整合出来ない場合があるだけでなく、折りが崩れる場合もある。
【００１３】
本発明は、折り処理され排出された用紙の集積に関する従来技術における前記の問題を解決し、用紙を良好に整合して集積することができる用紙集積装置及びかかる用紙集積装置を備えた用紙処理装置を提供することを目的とする。
【課題を解決するための手段】
【００１４】
前記目的は下記の発明により達成される。
１．
フレームと、
前記フレームに昇降可能に保持され、折り処理され、排出された用紙を集積する集積トレイと、
前記集積トレイに用紙が排出される際に用紙を前記集積トレイ上に案内し、前記集積トレイに集積された用紙の排出搬送方向における後端部を押さえるように前記フレームに固定されている第１押さえ手段と、
前記集積トレイ上の用紙の排出搬送方向における先端部を押さえる第２押さえ手段と、を有し、
前記集積トレイは、下限位置に達すると用紙の満杯を報知するセンサが作動するように、前記集積トレイの上に集積された用紙の厚さが増すことにより、前記第１押さえ手段に押されて下降し、
前記第２押さえ手段は、用紙の排出搬送方向上流側端部が前記フレームに固定され、排出搬送方向下流側端部が自由端であることを特徴とする用紙集積装置。
２．
前記第１押さえ手段は、排出搬送される用紙に接触して従動回転するように前記フレームに固定された軸に回転自在に取り付けられた回転体を有することを特徴とする前記１に記載の用紙集積装置。
３．
前記第１押さえ手段は排出搬送される用紙を下方に案内することを特徴とする前記１又は前記２に記載の用紙集積装置。
４．
前記第２押さえ手段は、弾性を有するシート状部材で構成されていることを特徴とする前記１から３のいずれか１項に記載の用紙集積装置。
５．
前記集積トレイは、用紙の排出搬送方向下流側端部において軸により回転可能に前記フレームに支持され、上流側端部がばね力により上方に付勢されていることを特徴とする前記１から４のいずれか１項に記載の用紙集積装置。
６．
前記集積トレイ上に用紙が堆積集積されていない状態において、前記第２押さえ手段の前記自由端は、前記集積トレイの下方に突出していることを特徴とする前記１から５のいずれか１項に記載の用紙集積装置。
７．
前記第２押さえ手段は、用紙との摩擦が調整された用紙接触面を有する層及び前記第２押さえ手段の剛性を高める裏打ち層を有することを特徴とする前記１から６のいずれか１項に記載の用紙集積装置。
８．
用紙を折り処理する折り処理部と、一対のローラからなる排紙ローラを有し、前記折り処理部により折り処理された用紙を排出する排紙部と、
前記排紙部から排出された用紙を集積する用紙集積装置と、を有する用紙処理装置において、
前記用紙集積装置は、
フレームと、
前記フレームに昇降可能に保持され、前記折り処理部により折り処理され、前記排紙部から排出された用紙を集積する集積トレイと、
前記集積トレイに用紙が排出される際に用紙を前記集積トレイ上に案内し、前記集積トレイに集積された用紙の排出搬送方向における後端部を押さえるように前記フレームに固定されている第１押さえ手段と、
前記集積トレイ上の用紙の排出搬送方向における先端部を押さえる第２押さえ手段と、を有し、
前記集積トレイは、下限位置に達すると用紙の満杯を報知するセンサが作動するように、前記集積トレイの上に集積された用紙の厚さが増すことにより、前記第１押さえ手段に押されて下降し、
前記第２押さえ手段は、用紙の排出搬送方向上流側端部が前記フレームに固定され、排出搬送方向下流側端部が自由端であることを特徴とする用紙処理装置。
９．
前記第１押さえ手段は、排出搬送される用紙に接触して従動回転するように前記フレームに固定された軸に回転自在に取り付けられた回転体を有することを特徴とする前記８に記載の用紙処理装置。
１０．
前記第１押さえ手段は排出搬送される用紙を下方に案内することを特徴とする前記８又は前記９に記載の用紙処理装置。
１１．
前記第２押さえ手段は、弾性を有するシート状部材で構成されていることを特徴とする前記８から１０のいずれか１項に記載の用紙処理装置。
１２．
前記集積トレイは、用紙の排出搬送方向下流側端部において軸により回転可能に支持され、上流側端部がばね力により上方に付勢されていることを特徴とする前記８から１１のいずれか１項に記載の用紙処理装置。
１３．
前記集積トレイ上に用紙が堆積集積されていない状態において、前記第２押さえ手段の前記自由端は、前記集積トレイの下方に突出していることを特徴とする前記８から１２のいずれか１項に記載の用紙処理装置。
１４．
前記第２押さえ手段は、用紙との摩擦が調整された用紙接触面を有する層及び前記第２押さえ手段の剛性を高める裏打ち層を有することを特徴とする前記８から１３のいずれか１項に記載の用紙処理装置。
１５．
前記回転体の軸中心が、前記排紙ローラにより形成されるニップの延長線よりも上方であり、前記回転体の用紙押さえ面が前記延長線よりも下方に位置するように前記回転体が配置されたことを特徴とする前記９に記載の用紙処理装置。
【発明の効果】
【００１５】
本発明においては、折り処理された用紙の先端部及び後端部を第１、第２押さえ手段により押さえ、且つ、第１押さえ手段は一定高さの押さえ面で用紙を押さえるので、集積トレイ上で用紙が良好に整合され集積される。
【発明を実施するための最良の形態】
【００１６】
以下本発明の実施の形態を用いて本発明を説明するが、本発明は該実施の形態に限られない。
【００１７】
図１は本発明の実施の形態に係る用紙集積装置及び用紙処理装置を備えた画像形成システムの全体図である。
【００１８】
［画像形成システム］
画像形成システムは画像形成装置Ａ、自動原稿送り装置ＤＦ、用紙処理装置Ｂ及び大容量給紙装置ＬＴで構成される。
【００１９】
図示の画像形成装置Ａは、画像読取部（画像入力装置）１、画像処理部２、画像書込部３、画像形成部４、給紙カセット５Ａ，５Ｂ，５Ｃ、手差し給紙トレイ５Ｄ、第１給紙部６Ａ，６Ｂ，６Ｃ，６Ｄ，６Ｅ、第２給紙部６Ｆ、定着装置７、排紙部８、自動両面コピー給紙部（ＡＤＵ）８Ｂを備えている。
【００２０】
画像形成装置Ａの上部には、自動原稿送り装置ＤＦが搭載されている。画像形成装置Ａの図示の左側面の排紙部８側には、用紙処理装置Ｂが連結されている。
【００２１】
自動原稿送り装置ＤＦの原稿台上に載置され搬送された原稿は、画像読取部１の光学系により原稿の片面又は両面の画像が読みとられ、イメージセンサ１Ａに読み込まれる。
【００２２】
イメージセンサ１Ａにより光電変換されたアナログ信号は、画像処理部２において、アナログ処理、Ａ／Ｄ変換、シェーディング補正、画像圧縮処理等が行われた後、画像書込部３に信号を送られる。
【００２３】
画像書込部３においては、半導体レーザからの出力光が画像形成部４の感光体ドラム４Ａに照射され、感光体ドラム４Ａ上に潜像が形成される。画像形成部４においては、帯電、露光、現像、転写、分離、クリーニング等の処理が行われる。給紙カセット５Ａ〜５Ｃ、手差し給紙トレイ５Ｄ、大容量給紙装置ＬＴから第１給紙部６Ａ〜６Ｅの各々により給送された用紙Ｓには、転写手段４Ｂにより画像が用紙Ｓに転写される。画像を担持した用紙Ｓは、定着装置７により定着処理され、排紙部８から用紙処理装置Ｂに送り込まれる。或いは搬送路切換板８Ａにより自動両面コピー給紙部８Ｂに送り込まれた片面画像処理済みの用紙Ｓは、再び画像形成部４において、両面画像処理後、排紙部８から排出される。
【００２４】
［用紙処理装置］
用紙処理装置Ｂは、搬入部１０、排紙部２０、用紙付加部（表紙用紙給紙部）３０、穿孔処理部（パンチ処理部、第１処理部）４０、搬送部５０、折り処理部（第２処理部）６０、用紙集積装置１００から構成されている。
【００２５】
図２は、本発明に係る用紙処理装置Ｂの全体構成図である。
【００２６】
〈搬入部〉
搬入部１０には、画像形成装置Ａからにより画像形成処理された用紙Ｓが導入される。
【００２７】
搬入部１０の記録用紙導入位置は、画像形成装置Ａの排紙部８の記録用紙排出位置に対向する。
【００２８】
入口ローラ１１に導入された記録用紙Ｓは、搬送路切換手段Ｇ１によって排紙部２０と穿孔処理部４０の何れかに分岐される（分岐部）。
【００２９】
〈排紙部〉
パンチ処理及び折り処理が設定されない場合、搬送路切換手段Ｇ１は穿孔処理部４０への搬送路を遮断し、排紙部２０への搬送路を開放する。
【００３０】
排紙部２０に向かう第１搬送路ｐ１を通過する記録用紙Ｓは、搬送ローラ２１，２２に挟持されて直進し、排紙ローラ２３により排紙部２０から排出され、用紙集積装置１００の集積トレイ１０２上に積載される。
【００３１】
搬送路切換手段Ｇ２によって搬送ローラ２２の用紙搬送方向下流側の図示上方に分岐された記録用紙Ｓは、第６搬送路ｐ６の搬送ローラ２５を通過し、排紙ローラ２６によって排出され、用紙処理装置Ｂ上部に配置された単シート処理排出部としてのサブ集積トレイ（トップトレイ）２７上に積載される。サブ集積トレイ２７上には、折り処理されない用紙Ｓが排出される。
【００３２】
〈穿孔処理部４０〉
搬入部１０の搬送路切換手段Ｇ１により分岐された用紙Ｓは、搬送路切換手段Ｇ１の下方に配置された搬送ローラ４１に挟持され、穿孔処理部（第１処理部）４０に搬送される（第２搬送路ｐ２）。
【００３３】
穿孔処理部４０の下流側の搬送路には、整合手段４２が配置され、穿孔処理前の用紙Ｓの用紙幅方向を整合する。
【００３４】
穿孔処理部４０の穿孔器は、図示しない駆動手段により駆動されるパンチと、パンチの刃部に嵌合するダイスとから成る。穿孔処理された用紙Ｓは、下方の搬送部５０に送られる（パンチ機能）。
【００３５】
〈搬送部５０〉
搬送部５０に送られた用紙Ｓは、搬送ローラ５１，５２，５３，５４により挟持されて折り処理部６０に搬送される。搬送ローラ５１，５２，５３，５４は、駆動源に接続する駆動ローラと、駆動ローラに圧接する従動ローラとから成る。各従動ローラはソレノイドＳＯＬに接続して、駆動ローラに接離可能である。
【００３６】
穿孔処理された小サイズの用紙Ｓのうち、折り処理が行われない用紙Ｓは、搬送路切換手段Ｇ３により分岐された第３Ａ搬送路３Ａを通過し、搬送ローラ６００に挟持されて搬送される。穿孔処理された大サイズの用紙Ｓは、折り処理の要否に拘わらず搬送路切換手段Ｇ３の分岐位置の下方の第３Ｂ搬送路３Ｂに搬送され、搬送ローラ５３，５４によって搬送され、折り処理部６０に導入される。ここで第３Ａ搬送路３Ａと、第３Ｂ搬送路３Ｂとを合わせて第３搬送路を構成している。
【００３７】
なお、搬送部５０に搬送路切換手段５５が設けられ、２枚の小サイズの用紙Ｓを蓄積して搬送する事により、２枚同時に後述の折り処理を行う事ができる。また、搬送路切換手段５５を設けず、用紙Ｓを１枚毎に折り処理するように構成し得ることは勿論である。
【００３８】
〈折り処理部６０〉
搬送部５０から折り処理部（第２処理部）６０に搬送された用紙Ｓは、レジストローラ６０１に挟持されて搬送され、第１折り部６１、第２折り部６２、第３折り部６３において、中折り、Ｚ折り、外三つ折り、内三つ折り、内四つ折り（観音折りとも称す）、ダブルパラレル折り等の折り処理（折り機能）が実施されて、第４搬送路ｐ４を介して第１搬送路ｐ１に戻される。
【００３９】
中折り、Ｚ折り、外三つ折り、内三つ折り、内四つ折り等の各種の折り処理された用紙Ｓは図３に示すとおりであり、（ａ）：中折り、（ｂ）：Ｚ折り、（ｃ）：外三つ折り、（ｄ）内三つ折り、（ｅ）：ダブルパラレル折り、（ｆ）：観音折り等の折り処理を行う折り機構の詳細は特開２００５−１５２２５号公報に記載されている。
【００４０】
図４は本発明の実施の形態に係る用紙集積装置１００の断面図であり、用紙Ｓが集積トレイ１０２上にない状態を示し、図５は同断面図で用紙Ｓが集積トレイ１０２上にある状態を示す。
【００４１】
図６は用紙集積装置１００の斜視図である。図７は用紙処理装置Ｂの排紙ローラ２３と回転体１０３との関係を示す図である。
【００４２】
用紙集積装置１００は後用紙処理装置Ｂの排紙部２０に取り付けられる。
【００４３】
用紙集積装置１００は、フレーム１０１を有し、フレーム１０１に以下に説明する各種の機能部品が取り付けられる。
【００４４】
集積トレイ１０２は図の左端部の軸１０２ａにおいて回転可能にフレーム１０１により支持される。
【００４５】
集積トレイ１０２の図右端部には、ワイヤ１０５の一端が取り付けられ、ワイヤ１０５の他端は引っ張り型のバネ１０４に連結される。
【００４６】
バネ１０４は一端がフレーム１０１に取り付けられるとともに、ワイヤ１０５はプーリ１０６に張架される。
【００４７】
このように、集積トレイ１０２はその右端部がワイヤ１０５により昇降可能に保持されており、後に説明するように、集積トレイ１０２に用紙Ｓが集積することにより、集積トレイ１０２に対して下方に向く力が作用したときに下降する。
【００４８】
１０３は静止部としてのフレーム１０１の所定位置に固定された軸に回転自在に取り付けられた回転体であり、後処理装置Ｂの排紙部２０から排出された用紙Ｓを押さえる第１押さえ手段を構成する。回転体１０３は排出搬送される用紙Ｓに接触して従動回転する。
【００４９】
図７に示すように、回転体１０３はその回転軸１０３ａの中心が排紙ローラ２３を構成するローラ対間のニップＮＰに引いた接線Ｌよりも上方に位置し、且つ、用紙Ｓを押圧してガイドする回転体１０３の外周の下端１０３ｂが接線Ｌよりも下方に位置する。
【００５０】
このような回転体１０３の配置及び形状により、排紙部２０から排出された用紙Ｓの先端は回転体１０３に突き当たり、突き当たった後に回転体１０３の下へと確実にガイドされる。
【００５１】
このように、回転体１０３は、一定の高さの下端１０３ｂを含む押さえ面で用紙Ｓを押さえる。
【００５２】
１０７は第２押さえ手段としての押さえシートである。
【００５３】
押さえシート１０７は用紙Ｓに接触する下面が粗面化されたポリエチレンンシートと裏打ち層としてのＰＥＴ（ポリエチレンテレフタレート）シートからなる積層構成を有しており、弾性を有したシート状部材であって用紙Ｓの排出搬送方向に対して上流側である図の右端部がフレーム１０１に固定される。一方、押さえシート１０７の排出搬送方向に対して下流側である図の左端は可動である。ポリエチレンシートの用紙Ｓに接触する面は、用紙Ｓが集積トレイ１０１から飛び出すのを抑えるように、摩擦抵抗の有する粗面に形成される。ＰＥＴシートは押さえシート１０７の剛性を強化して用紙Ｓに対する押さえ作用を強化する。
【００５４】
なお、押さえシート１０７としてばね付勢され回転自在に支持された剛体シートを用いることもできる。
【００５５】
押さえシート１０７の左端は自由端であり、集積トレイ１０２は、図６に示すようにその中央部が切り欠かれているので、集積トレイ１０２上に用紙Ｓがないときは、押さえシート１０７の左端部は、集積トレイ１０２を横切って集積トレイ１０２よりも下方に突出する（図４参照）。
【００５６】
用紙Ｓが排紙部２０から離れると、回転体１０３の押圧作用により、用紙Ｓの後端Ｓａは排紙部２０の排紙口よりも下方に押し下げられる。
【００５７】
また、用紙Ｓは押さえシート１０７により、左方への走行が抑えられるとともに、先端Ｓｂの浮き上がりが抑制される。
【００５８】
折り処理の種類によっては、搬送方向における用紙先端部に折りによる多重層部が形成される用紙Ｓや、折りによる多重層部が搬送方向における用紙後端部に形成される用紙Ｓが集積される場合があるが、先端部の多重層部の浮き上がりは押さえシート１０７により抑制することができ、後端部の多重層部の浮き上がりは回転体１０３により抑制することができる。
【００５９】
このようにして、折りたたまれた用紙Ｓは集積トレイ１０２上に集積トレイ排紙部２０からの排紙順に積み重なり、整合状態で集積される。
【００６０】
押さえシート１０７が図４に示すように、用紙Ｓが集積トレイ１０２上にない状態では、押さえシート１０７が集積トレイ１０２を横切って、集積トレイ１０２の下方に突出するように設置されるので、集積トレイ１０２に用紙Ｓが少ない段階から用紙Ｓは確実に整合状態で集積される。
【００６１】
用紙Ｓの排出搬送方向における後端を排紙ローラ２３から確実に離すためには、回転体１０３を可能な限り排紙ローラ２３に近づけることが好ましい。
【００６２】
用紙Ｓは排紙部２０から連続して排出搬送される。
【００６３】
排出された用紙Ｓは回転体１３により下方にガイドされ、押さえシート１０７の下面に沿って集積トレイ１０２上を左方に走行する。
【００６４】
用紙Ｓの排出搬送方向における後端Ｓａが排紙ローラ２３を離れると、回転体１０３の作用で用紙Ｓの後端Ｓａは降下し、押さえシート１０７の抑え作用で、用紙Ｓは直ちに停止する。
【００６５】
後続の用紙Ｓは回転体１０３により抑えられて下方に移動した用紙Ｓの上に集積される。
【００６６】
このように、用紙Ｓが排出直後に、排紙ローラ２３から確実に離れるので、連続排紙において、先行用紙の上に後続用紙が確実に乗って排出され、集積トレイ１０２上には排出順に確実に用紙が集積される。したがって、用紙Ｓは排紙部２０から排出された順序で集積され、集積時にページ順が狂うことはない。
【００６７】
集積トレイ１０２上に用紙Ｓが集積すると、その質量が増し、また、集積用紙の厚さが増すことにより、集積トレイ１０２の右端部が下降する。
【００６８】
集積トレイ１０２の右端部が下限位置に達すると、アクチュエータ１０８が回転し、後処理装置Ｂに設けられたセンサＳＥがこの回転を検知して、用紙の満杯を報知する。
【００６９】
満杯信号により、画像形成システムの表示部（図示せず）に用紙の取り出しを促す表示が行われるとともに、作動が停止する。
【図面の簡単な説明】
【００７０】
【図１】本発明の実施の形態に係る用紙処理装置を備えた画像形成システムの全体図である。
【図２】本発明に係る用紙処理装置Ｂの全体構成図である。
【図３】折り処理の例を示す図である。
【図４】本発明の実施の形態に係る用紙集積装置の断面図である。
【図５】本発明の実施の形態に係る用紙集積装置の断面図である。
【図６】本発明の実施の形態に係る用紙集積装置の斜視図である。
【図７】用紙処理装置の排紙ローラと回転体との関係を示す図である。
【符号の説明】
【００７１】
１００  用紙集積装置
１０１  フレーム
１０２  集積トレイ
１０３  回転体
１０７  押さえシート
【図１】
0004428408.tif 000002
【図２】
0004428408.tif 000003
【図３】
0004428408.tif 000004
【図４】
0004428408.tif 000005
【図５】
0004428408.tif 000006
【図６】
0004428408.tif 000007
【図７】
0004428408.tif 000008